(57)【特許請求の範囲】
【請求項１】
トレイテーブルアセンブリであって、
（ａ）テーブル本体と、
（ｂ）前記テーブル本体と回転可能に連結された第１端を備える支持アームと、
（ｃ）前記テーブル本体と回転可能に連結された第１端を備えるリンケージと、
（ｄ）レセプタクルと、を備え、
前記支持アームの第２端と、前記リンケージの第２端とが前記レセプタクルと回転可能に連結されており、
前記テーブル本体は、収納位置において前記レセプタクル内に位置付けられるとともに、引っ張り力を受けると乗客用座席の前方の展開位置に向けて、前記レセプタクルから離れて移動され且つ実質的に水平な面内で回転するように構成されており、
前記テーブル本体が前記収納位置と前記展開位置との間を移動する全行路にわたり、前記支持アームは、指が挟まれる危険性を最小限にするために、前記リンケージの少なくとも一部分と重複するように形成されるトレイテーブルアセンブリ。
【請求項２】
前記支持アームと前記リンケージは、前記テーブル本体が展開位置にあるときに、前記テーブル本体の裏面の少なくとも一部分に隣接して位置付けられるように構成される請求項１に記載のトレイテーブルアセンブリ。
【請求項３】
前記テーブル本体は少なくとも二つのセグメントを備える請求項１に記載のトレイテーブルアセンブリ。
【請求項４】
前記少なくとも二つのセグメントの第１セグメントは、前記少なくとも二つのセグメントの第２セグメントに対し旋回可能に連結される請求項３に記載のトレイテーブルアセンブリ。
【請求項５】
前記支持アームと前記リンケージは、前記テーブル本体が展開位置にあるときに、第１セグメントの少なくとも一部分に隣接して位置付けられるように構成される請求項４に記載のトレイテーブルアセンブリ。
【請求項６】
第１セグメントの縁部から延在するように構成されるハンドルをさらに備える請求項４に記載のトレイテーブルアセンブリ。
【請求項７】
前記支持アームは、前記リンケージの少なくとも一部分と重複するように形成される請求項１に記載のトレイテーブルアセンブリ。
【請求項８】
前記支持アームは、前記テーブル本体の少なくとも一部分と重複するように形成される請求項１に記載のトレイテーブルアセンブリ。
【請求項９】
前記支持アームは、前記リンケージの第1端と前記テーブル本体との間の連結を受け入れるように構成された溝を備える請求項１に記載のトレイテーブルアセンブリ。
【請求項１０】
前記レセプタクルは、前記テーブル本体、前記支持アーム及び前記リンケージを収容するように形成される請求項１に記載のトレイテーブルアセンブリ。
【請求項１１】
トレイテーブルアセンブリであって、
（ａ）第1セグメントと第２セグメントとを備えるテーブル本体と、
（ｂ）前記テーブル本体の第２セグメントと回転可能に連結された第１端を備える支持アームと、
（ｃ）前記テーブル本体の第２セグメントと回転可能に連結された第１端を備えるリンケージと、
（ｄ）レセプタクルと、を備え、
前記支持アームの第２端と、前記リンケージの第２端とが前記レセプタクルと回転可能に連結されており、
前記テーブル本体の第２セグメントは、収納位置において前記レセプタクル内に位置付けられるとともに、引っ張り力を受けると乗客用座席の前方の展開位置に向けて、前記レセプタクルから離れて移動され且つ実質的に水平な面内で回転するように構成されており、
前記テーブル本体が前記収納位置と前記展開位置との間を移動する全行路にわたり、前記支持アームは、指が挟まれる危険性を最小限にするために、前記リンケージの少なくとも一部分と重複するように形成されるトレイテーブルアセンブリ。
【請求項１２】
前記支持アームと前記リンケージは、前記テーブル本体が展開位置にあるときに、第２セグメントの裏面の少なくとも一部分に隣接して位置付けられるように構成される請求項１１に記載のトレイテーブルアセンブリ。
【請求項１３】
第１セグメントは、第２セグメントに対して旋回可能に連結される請求項１１に記載のトレイテーブルアセンブリ。
【請求項１４】
前記支持アームと前記リンケージは、前記テーブル本体が展開位置にあるときに、第１セグメントの少なくとも一部分に隣接するように位置付けられるように構成され、第１セグメントは、前記テーブル本体の作業面を露出させるように、第２セグメントから離れて回転される請求項１３に記載のトレイテーブルアセンブリ。
【請求項１５】
第１セグメントの縁部から延在するように構成されるハンドルをさらに備える請求項１１に記載のトレイテーブルアセンブリ。
【請求項１６】
前記支持アームは、前記リンケージの少なくとも一部分と重複するように形成される請求項１１に記載のトレイテーブルアセンブリ。
【請求項１７】
トレイテーブルアセンブリを展開する方法であって、該トレイテーブルアセンブリは、第1セグメントと第２セグメントとを備えるテーブル本体と、前記テーブル本体の第２セグメントと回転可能に連結された第１端を備える支持アームと、前記テーブル本体の第２セグメントと回転可能に連結された第１端を備えるリンケージと、前記支持アームの第２端及び前記リンケージの第２端と回転可能に連結されたレセプタクルと、を備えており、該方法は、
（ａ）前記テーブル本体を、乗客用座席の前方の展開位置に向けて、前記レセプタクル内の収納位置から離して動かすとともに、実質的に水平な面内で回転させることと、
（ｂ）第１セグメントを、前記テーブル本体の作業面を露出させるように、第２セグメントから離して旋回的に回転させることとを含み、
前記テーブル本体が前記収納位置と前記展開位置との間を移動する全行路にわたり、前記支持アームは、指が挟まれる危険性を最小限にするために、前記リンケージの少なくとも一部分と重複するように形成されるトレイテーブルアセンブリを展開する方法。
【請求項１８】
前記支持アーム及び前記リンケージは、前記テーブル本体の前記作業面が露出している時に、第１セグメントの少なくとも一部分に隣接して位置付けられるように構成される請求項１７に記載の方法。
【請求項１９】
第１セグメントの縁部から延在するように構成されるハンドルをさらに含む請求項１７に記載の方法。
【請求項２０】
前記レセプタクルは、前記テーブル本体、前記支持アーム及び前記リンケージを前記収納位置において収容するように形成される請求項１７に記載の方法。
【発明の詳細な説明】
【技術分野】
【０００１】
本願は、２０１１年１月３日に出願され「食事用トレイの運動学的な動作」と題された米国仮特許出願第６１／４２９，２４３号の優先権を主張し、その開示全てをここに援用して本文の記載の一部とする。
【０００２】
本発明は、乗客用座席などのためのトレイテーブルに関する。
【背景技術】
【０００３】
旅客機、バス、列車等における乗客用座席の多くは、折りたたみ（折重ね）可能なトレイテーブルが備えられている。トレイテーブルは、移動中の食事、仕事、又は小物を支持するために用いられ得る。トレイテーブルは移動中に用いられるように構成されるとともに、離陸、着陸及びその他の危険な飛行条件が存在する間には収納されるように構成されている。
【０００４】
多くの場合、トレイテーブルは乗客用座席の肘掛け（アームレスト）内に収納されている。そのような収納位置からトレイテーブルを展開するには、トレイテーブルをアームレスト内から外に持ち上げ、次いでトレイテーブルを乗客の前の水平位置へと回転する必要が有る。これらの種類の展開は、典型的に、相当な大きさの空間を必要とし、他の乗客の快適さと干渉するか又は客室内の他の部分と干渉することがある。そのような展開はまた、乗客には理解しづらいこともあり、又は定位置に動かすことが難しいこともある。
【０００５】
状況によっては、誤用のリスク、又は、他の乗客、周囲の座席もしくは客室と干渉するリスクを最小限にしつつ、トレイテーブルを展開するのに必要な空間の大きさを縮小することが所望されることがある。
【発明の概要】
【０００６】
本発明の実施例は、トレイテーブルアセンブリであって、
テーブル本体と、
前記テーブル本体と回転可能に連結された第１端を備える支持アームと、
前記テーブル本体と回転可能に連結された第１端を備えるリンケージ（接合部材）と、
レセプタクル（受け入れ部材）と、を備え、
前記支持アームの第２端と、前記リンケージの第２端とが前記レセプタクルと回転可能に連結されており、
前記テーブル本体は、実質的に水平な面内で、前記支持アームに対して相対的に回転するように構成され、前記支持アーム及び前記リンケージは、実質的に水平な面内で、前記レセプタクルに対して相対的に回転するように構成される、トレイテーブルアセンブリを含む。
いくつかの実施例において、前記支持アームと前記リンケージは、前記テーブル本体が展開位置にあるときに、前記テーブル本体の裏面の少なくとも一部分に隣接して位置付けられるように構成される。
【０００７】
特定の実施例において、前記トレイテーブルは少なくとも二つのセグメント（部位）を備え、第1セグメントは第２セグメントに対し旋回可能に連結されている。これらの実施例において、前記支持アームと前記リンケージは、前記テーブル本体が展開位置にあるときに、第1セグメントの少なくとも一部分に隣接して位置付けられるように構成され得る。これらの実施例において、第1セグメントは、前記テーブル本体の作業面を露出させるように、第２セグメントから離れて回転され得る。ハンドル（取っ手）が前記第1セグメントの縁部から延在するように構成され得る。
【０００８】
これらの実施例において、前記支持アームは、前記リンケージの少なくとも一部分及び／又は前記テーブル本体の少なくとも一部分と重複するように形成され得る。前記支持アームはまた、前記リンケージの第1端と前記テーブル本体との間の連結を受け入れるように構成された溝を備え得る。いくつかの実施例において、前記レセプタクルは、前記テーブル本体、前記支持アーム及び前記リンケージを収納位置において収容するように形成される。
【０００９】
前記トレイテーブルアセンブリは、前記テーブル本体の第２セグメントを実質的に水平面内で回転させて、前記テーブル本体を前記レセプタクル内の収納位置から展開位置へと回転させることと、第１セグメントを、前記テーブル本体の作業面を露出させるように、第２セグメントから離して旋回的に回転させることとによって展開され得る。
【図面の簡単な説明】
【００１０】
【図１】乗客用座席に隣接した収納位置にある、本発明のある実施形態に従うトレイテーブルアセンブリの斜視図である。
【図２】乗客用座席に隣接した展開位置にある、図１に示されたトレイテーブルアセンブリの斜視図である。
【図３】収納位置にある、図１に示されたトレイテーブルアセンブリの上面図である。
【図４】乗客用座席に隣接した収納位置にある、図１に示されたトレイテーブルアセンブリの上面図である。
【図５】乗客用座席に隣接した、部分的に展開した位置にある、図１に示されたトレイテーブルアセンブリの上面図である。
【図６】テーブル本体の第１セグメントが第２セグメントの上に折り重なった状態で乗客用座席に隣接した展開位置にある、図１に示されたトレイテーブルアセンブリの上面図である。
【図７】乗客用座席に隣接した展開位置にある、図１に示されたトレイテーブルアセンブリの上面図である。
【発明を実施するための形態】
【００１１】
本文に記載された本発明の実施例によって、乗客用座席と共に用いられるトレイテーブルアセンブリが提供される。これらのトレイテーブルアセンブリは、飛行機の座席用として記載されているが、決してそのような用途によって限定されるものではない。むしろ、トレイテーブルアセンブリの実施例は、乗客用の座席、その他のいかなる種類の座席、又は所望によってその他の用途にも用いられ得る。
【００１２】
図１〜７にトレイテーブルアセンブリ１０の実施例が示されている。これらの実施例において、トレイテーブルアセンブリ１０は、テーブル本体１２と、支持アーム１４と、リンケージ１６とを備える。
【００１３】
テーブル本体１２は、アルミニウム、ステンレススチール、アラミド繊維、ポリカーボネート、ポリプロピレン、その他のプラスチック材料、その他の金属材料、複合材料、又は他の同様な材料を含む材料で形成されてよいが、これらには限定されない。トレイテーブルアセンブリ１０に加えられ得る力に耐えられる十分な強度を有する軽量なテーブル本体１２をもたらすであろういかなる好適な材料を用いてテーブル本体１２を形成し得ることが、本技術分野の当業者によって理解されるであろう。
【００１４】
いくつかの実施例において、図１〜７に示されるように、テーブル本体１２は直線的形状を有し得る。しかしながら、テーブル本体１２が直線的形状、台形状、放物形状、又は他の好適な形状を含むがそれらに限定されないいかなる好適な形状を有し得ることが、関連技術の当業者によって理解されるであろう。
【００１５】
テーブル本体１２は単一の部品として一体的に形成されてもよいし、又は互いに連結されてテーブル本体１２を形成する複数の部位（セグメント）を含んでもよい。いくつかの実施例においては、図１〜７に示されるように、テーブル本体１２を収納位置に位置付けるための準備においてセグメント１２Ａがセグメント１２Ｂ上に折り重なり得るようにセグメント１２Ａ、１２Ｂが互いに旋回可能に連結され得る。テーブル本体１２を小型化された折りたたみ（折り重ね）設計とすることで、テーブル本体１２を収納するために必要な奥行きの量が低減される（図３及び４に最も良く示されているように）。図１〜７に示された実施例は二つのセグメント１２Ａ及び１２Ｂを含んでいるが、テーブル本体１２はいかなる適切な数のセグメントを含み得ること、そして追加のセグメントがテーブル本体１２を収納するために必要とされる奥行きの量をさらに最小化するために用いられ得ることが、関連技術の当業者によって理解されるであろう。
【００１６】
セグメント１２Ａはまた、ハンドル１８を備えてよく、このハンドル１８は、セグメント１２Ａの縁部から延在する突起部を備えてよい。セグメント１２Ａがセグメント１２Ｂから展開位置へと広げられるとき（図２及び図７に最も良く示されているように）、ハンドル１８は乗客用座席２０に着席している乗客から離れた、テーブル本体１２の前方側に位置付けられる。セグメント１２Ａがセグメント１２Ｂ上に折り重ねられるとき（図６に最も良く示されているように）、ハンドル１８は乗客用座席２０に着席している乗客に隣接した、テーブル本体１２の後部側に位置付けられる。特定の実施例においては、ハンドル１８はテーブル本体１２を収納位置と展開位置との間で動かすために必要な力を最小限にする位置に配置されているとともに、乗客が使用する際の自然な位置をもたらすものである。しかしながら、ハンドル１８のためのいかなる好適な位置を用い得ることが、関連技術の当業者によって理解されるであろう。
【００１７】
いくつかの実施例において、図２〜７に示されているように、支持アーム１４はテーブル本体１２の裏面２２の少なくとも一部分に隣接して位置付けられて、テーブル本体１２を収納位置（図１、３及び４に示されているような）と展開位置（図２及び７に示されているような）との間で回転させるため、及び展開位置にあるときのテーブル本体１２に対して構造的な支持をもたらすための展開機構として機能し得る。支持アーム１４は、アルミニウム、ステンレススチール、その他の金属材料、複合材料、又は他の同様な材料を含むがこれらには限定されない、トレイテーブルアセンブリ１０に加えられ得る力に耐えられる十分な強度をもたらすいかなる好適な材料で形成又は構成されてよい。
【００１８】
テーブル本体１２が、セグメント１２Ａ及び１２Ｂのような複数のセグメントを有する実施例において、図７に最も良く示されているように、支持アーム１４は、展開位置にあるセグメント１２Ａ及び１２Ｂのどちらか一方又は両方の裏面２２の少なくとも一部分と隣接して位置付けられるように構成されてよい。これらの実施例において、支持アーム１４はまた、セグメント１２Ａがセグメント１２Ｂから広げられるときに、セグメント１２Ａを支持する止め具として機能してよい。他の実施例においては、展開位置にあるときのセグメント１２Ａが支持アーム１４からの支持を必要としないように、テーブル本体１２は別個の止め具を備えて構成されてよい。
【００１９】
特定の実施例において、図７に最も良く示されているように、セグメント１２Ｂは支持アーム１４に回転可能に連結されてよい。しかしながら、テーブル本体１２のいかなる好適な領域又はセグメントが支持アーム１４に連結され得ることが、関連技術の当業者によって理解されるであろう。これらの実施例において、支持アーム１４の第１端２４がセグメント１２Ｂの裏面２２に回転可能に連結され得るとともに、支持アーム１４の第２端２６が、収納位置にあるときのテーブル本体１２を収容するように構成されているレセプタクル３０の下面２８に回転可能に連結され得る。他の実施例において、支持アーム１４の第２端２６はレセプタクル３０に隣接する表面又はレセプタクル３０内の他の場所に連結され得る。これらの構成部品を回転可能に連結するための好適なメカニカルファスナーは、ネジ、リベット、ボルト、蝶番、ビーム継ぎ手、回転式の部品ファスナー、ピン、又はいかなる他の好適なファスナー装置を含むが、これらに限定されない。
【００２０】
いくつかの実施例において、図３〜７に示されているように、リンケージ１６はまた、テーブル本体１２の裏面２２の少なくとも一部分に隣接して位置付けられてよい。支持アーム１４と同様に、リンケージ１６は、テーブル本体１２を収納位置（図１、３及び４に示されているような）と展開位置（図２及び７に示されているような）との間で回転させるため、及び、展開位置にあるときのテーブル本体１２に対して付加的な構造的支持をもたらすための展開機構として機能する。リンケージ１６はまた、収納位置と展開位置との間でテーブル本体１２の支持アーム１４に対する相対的な水平方位を維持するための案内機構として機能する。リンケージ１６は、アルミニウム、ステンレススチール、その他の金属材料、複合材料、又は他の同様な材料を含むがこれらには限定されない、トレイテーブルアセンブリ１０に加えられ得る力に耐えられる十分な強度をもたらすいかなる好適な材料で形成又は構成されてよい。
【００２１】
テーブル本体１２が、セグメント１２Ａ及び１２Ｂのような複数のセグメントを有する実施例において、リンケージ１６もまた、図７に最も良く示されているように、展開位置にあるセグメント１２Ａ及び１２Ｂのどちらか一方又は両方の裏面２２の少なくとも一部分と隣接して位置付けられるように構成されてよい。これらの実施例において、リンケージ１６はまた、セグメント１２Ａがセグメント１２Ｂから広げられるときに、セグメント１２Ａを支持する止め具として機能してよい。他の実施例においては、展開位置にあるときのセグメント１２Ａがリンケージ１６からの支持を必要としないように、テーブル本体１２が別個の止め具を備え得るか、又は、支持アーム１４が充分な支持をもたらし得る。いくつかの実施例においては、リンケージ１６はセグメント１２Ｂのみに隣接して位置付けられるように形成されてよい。しかしながら、展開位置において安定したテーブル本体１２をもたらすために、及び、展開位置と収納位置との間でテーブル本体１２を動かすための機構をもたらすために、支持アーム１４とリンケージ１６のいかなる好適な配置を必要に応じて用い得ることが、関連技術の当業者によって理解されるであろう。
【００２２】
いくつかの実施例において、図７に最も良く示されているように、セグメント１２Ｂはリンケージ１６に回転可能に連結されてよい。しかしながら、テーブル本体１２のいかなる好適な領域又はセグメントがリンケージ１６に連結され得ることが、関連技術の当業者によって理解されるであろう。これらの実施例において、リンケージ１６の第１端３２がセグメント１２Ｂの裏面２２に回転可能に連結され得るとともに、リンケージ１６の第２端３４が、レセプタクル３０の下面２８に回転可能に連結され得る。他の実施例において、リンケージ１６の第２端３４はレセプタクル３０に隣接する表面又はレセプタクル３０内の他の場所に連結され得る。これらの構成部品を回転可能に連結するための好適なメカニカルファスナーは、ネジ、リベット、ボルト、蝶番、ビーム継ぎ手、回転式の部品ファスナー、ピン、又はいかなる他の好適なファスナー装置を含むが、これらに限定されない。
【００２３】
特定の実施例において、レセプタクル３０は構造体３６内に位置付けられ得る。構造体３６は、乗客用座席２０に隣接して位置付けられ得るか、又は、隣接壁もしくは乗客用座席２０側からアクセス可能な表面を有する他の構造体に位置付けられ得る。レセプタクル３０は収納位置にあるテーブル本体１２の表面積及び高さの実質的全てを収納可能な容積を有するように構成される。例えば、いくつかの実施例において、レセプタクル３０は折りたたまれていない構成のテーブル本体１２、例えばテーブル本体１２が一体的な部品として形成されている例におけるテーブル本体１２を収めるように構成され得る。テーブル本体１２が、収納のために互いに重ねられて折りたたまれる複数のセグメントを備える実施例において、レセプタクル３０は折りたたまれたテーブル本体１２のより大きい厚みを収容するためのより大きい高さと、折りたたまれたテーブル本体１２のよりスリムな表面積を収容するためのより浅い奥行きを含み得る。関連技術の当業者は、構造体３６内、隣接する壁、又は他の隣接して位置付けられた表面におさまるとともに、収納時のテーブル本体１２の形状並びに支持アーム１４及び／又はリンケージ１６をも収納するような、レセプタクル３０のいかなる好適な高さと深さの構成を使用し得ること、そしてテーブル本体１２は単一の一体的な部品を含み得るか、又は、互いに折り重ねられた、折りたたまれた、又は他の小型化された複数のセグメントを含み得ることを理解するであろう。
【００２４】
テーブル本体１２を展開位置（図７）から収納位置（図４）に回転させるためには、ハンドル１８がテーブル本体１２の後部側に位置付けられるようにセグメント１２Ａはセグメント１２Ｂの上に折り重ねられる（図６）。次いで、ハンドル１８又はテーブル本体１２自体に力を加えて、テーブル本体１２を乗客用座席２０から離して移動させる。押圧力をテーブル本体１２に加えることにより、テーブル本体１２は支持アーム１４及び／又はリンケージ１６と並ぶように回転し、且つ、支持アーム１４及び／又はリンケージ１６もまたレセプタクル３０と並ぶように回転する（図５）。テーブル本体１２、支持アーム１４、及び／又はリンケージ１６がそれぞれ各自の連結点の回りを回転することによって、テーブル本体１２、支持アーム１４及び／又はリンケージ１６がレセプタクル３０内の収納位置へと待避させられる（図４）。
【００２５】
テーブル本体１２を収納位置（図４）から展開位置（図７）に回転させるためには、ハンドル１８又はテーブル本体１２自体に力を加えて、テーブル本体１２をレセプタクル３０から離して移動させる。引っ張り力をテーブル本体１２に加えることにより、テーブル本体１２は支持アーム１４及び／又はリンケージ１６から離れて回転してテーブル本体１２と支持アーム１４及び／又はリンケージ１６との間に角度を形成し、且つ、支持アーム１４及び／又はリンケージ１６もまたレセプタクル３０から離れて回転してレセプタクル３０と支持アーム１４及び／又はリンケージ１６との間に角度を形成する（図５）。テーブル本体１２、支持アーム１４、及び／又はリンケージ１６がそれぞれ各自の連結点の回りを回転することによって、テーブル本体１２、支持アーム１４及び／又はリンケージ１６が乗客用座席２０に隣接した展開位置へと延在する（図６）。ハンドル１８及び／又はセグメント１２Ａ自体は次いで持ち上げられるとともに、乗客用座席２０に着席する乗客によって使用されるためにテーブル本体１２の作業面３８が露出されるように、セグメント１２Ｂから離れて回転される（図７）。
【００２６】
収納位置と展開位置との間で回転する間中、少なくともテーブル本体１２のセグメント１２Ｂ、支持アーム１４及びリンケージ１６は実質的に水平な面内で回転する。隣接して位置付けられたレセプタクル３０を利用することにより、テーブル本体１２を収納位置から展開位置へ、及び逆に展開位置から収納位置へと展開するために必要なスペースは最小限となり、上述の実質的に水平な動きは周囲の座席又は客室のいかなる部分とも干渉しない。
【００２７】
前述のように、支持アーム１４はテーブル本体の回動部分（すなわち、上述のセグメント１２Ａ）に対する支持をもたらすために形成し得る。支持アーム１４はまた、テーブル本体１２が収納位置と展開位置との間で回転する間のいかなる位置における、支持アーム１４、リンケージ１６及びテーブル本体１２間に発生し得るピンチポイント（指や他の身体の一部を挟む可能性のある箇所）を最小化するか又は防止するように形成され得る。例えば、ピンチポイントはしばしば、二つの物体が互いに離れて回転してその間に隙間が形成され、次いで二つの物体が互いに接近して回転する時に隙間が閉じられる際に形成される。この隙間に挿入されるアイテムは、二つの物体が互いに近接して回転して隙間を閉じる際にピンチされる（挟まれる）可能性がある。二つの物体の少なくとも一つを、回転パスに沿って形成され得る、いかなるアクセス可能な隙間を取り囲むように形成することによって、この種のピンチポイントは最小限にし得るか又は除去し得る。乗客が不用意に指又は他の身体の一部を支持アーム１４とテーブル本体１２との間でピンチしない（挟まない）ようにするために、例えば図４〜７に示されるように、支持アーム１４は、テーブル本体１２が収納位置と展開位置との間で回転する間に、支持アーム１４がテーブル本体１２の少なくとも一部分に重複するように形成される。
【００２８】
同様に、支持アーム１４は、乗客が不用意に指又は他の身体の一部を支持アーム１４とリンケージ１６との間でピンチしない（挟まない）ようにするために、支持アーム１４は、収納位置と展開位置との間で回転する間に、支持アーム１４がリンケージ１６の少なくとも一部分に重複するように形成される。これらの場合において、リンケージ１６の第１端３２とテーブル本体１２との間の連結を受け入れるように構成された溝４０を、支持アーム１４の第１端２４に隣接して位置付けてよい。溝４０は、支持アーム１４及び／又はリンケージ１６がテーブル本体１２の回転を規制することなしに、及び逆にテーブル本体１２が支持アーム１４及び／又はリンケージ１６の回転を規制することなしに、テーブル本体１２が支持アーム１４及びリンケージ１６の両者に対して相対的に回転することを許容する。他の実施例において、溝４０はリンケージ１６の第１端３２又は第２端３４、支持アーム１４の第２端２６に隣接して位置付けられ得るか、又は、必要に応じて構成部品が収納位置と展開位置との間で回転することを許容するいかなる他の好適な箇所に位置付けられ得る。
【００２９】
溝４０の長さも、テーブル本体１２を展開位置へと位置付けるために、次のように構成し得る。すなわち、テーブル本体１２が展開位置に達したときに第１端３２とセグメント１２Ｂ間の連結が溝４０の端部に接触するように溝４０の長さを構成し得る。
【００３０】
上述の記載は本発明の実施例を示し、説明し、及び記載する目的でなされたものである。これらの実施例に対するさらなる変更及び適合は、本技術分野の当業者にとって明らかであろうし、そのようなさらなる変更及び適合は、本発明の範囲又は精神から逸脱しない範囲でなされ得る。
【図１】
0005934249.tif 000002
【図２】
0005934249.tif 000003
【図３】
0005934249.tif 000004
【図４】
0005934249.tif 000005
【図５】
0005934249.tif 000006
【図６】
0005934249.tif 000007
【図７】
0005934249.tif 000008